(57)【要約】【課題】構成が簡素化および軽量化されて施工性が向上するとともに、既設の鋼板屋根への適用も容易な太陽電池付鋼板屋根構造を提供する。【解決手段】本発明の太陽電池付鋼板屋根構造Ｋは、太陽電池シート１と、太陽電池シート１の長手方向端部を保持する保持部材２とを備え、保持部材２が太陽電池シート１の端部が差し込まれる偏平溝状部２ａと、偏平溝状部２ａの上片端から起立形成された補強部２ｂとを含むもので、鋼板屋根が瓦棒葺き屋根の場合、偏平溝状部２ｂが、通し吊子Ｔを跨ぐようにして配設された押さえ部材３の鍔部３ｃにより押さえられてなるものである。【選択図】図１
2013032668.tif 000002
【特許請求の範囲】
【請求項１】
屋根鋼鈑と、太陽電池シートと、前記太陽電池シートの短手方向端部を補強する補強部材とを備え、
前記補強部材が、太陽電池シートの端部が差し込まれる偏平溝状部を有してなることを特徴とする太陽電池付鋼板屋根構造。
【請求項２】
太陽電池シートの長手方向端部を保持する保持部材を備え、
前記保持部材が、太陽電池シートの端部が差し込まれる偏平溝状部と、前記偏平溝状部の上片端から起立形成された補強部とを含むものとされてなることを特徴とする請求項１記載の太陽電池付鋼板屋根構造。
【請求項３】
太陽電池シートを屋根鋼鈑に取り付ける取付部材を長手方向端部に有してなることを特徴とする請求項１記載の太陽電池付鋼板屋根構造。
【請求項４】
屋根の下地材の上に断熱シートが配設されてなることを特徴とする請求項１記載の太陽電池付鋼板屋根構造。
【請求項５】
屋根の下地材の上に防水シートが配設されてなることを特徴とする請求項１記載の太陽電池付鋼板屋根構造。
【請求項６】
太陽電池シートが配設される下地板材を屋根鋼鈑の上に備え、
前記屋根鋼鈑と前記下地板材との間に断熱シートが配設されてなることを特徴とする請求項１記載の太陽電池付鋼板屋根構造。
【請求項７】
太陽電池シートが屋根鋼鈑または下地板材に接着剤により接着されてなることを特徴とする請求項１または６記載の太陽電池付鋼板屋根構造。
【請求項８】
太陽電池シートが屋根鋼鈑または下地板材に接着テープまたは粘着テープにより固定されてなることを特徴とする請求項７記載の太陽電池付鋼板屋根構造。
【請求項９】
鋼板屋根が瓦棒葺き屋根とされ、
保持部材の偏平溝状部が、通し吊子を跨ぐようにして配設された押さえ部材の鍔部により押さえられてなることを特徴とする請求項２載の太陽電池付鋼板屋根構造。
【請求項１０】
押さえ部材が化粧キャップにより覆われてなることを特徴とする請求項９載の太陽電池付鋼板屋根構造。
【請求項１１】
屋根鋼鈑がフラットフリータイプとされ、
取付部材の差込部が、屋根鋼鈑の傾斜端部とキャップとの隙間に挟みこまれて太陽電池シートの屋根への固定がなされることを特徴とする請求項３載の太陽電池付鋼板屋根構造。
【発明の詳細な説明】
【技術分野】
【０００１】
本発明は太陽電池付鋼板屋根構造に関する。さらに詳しくは、構成が簡素化および軽量化され、それにより施工性が向上された太陽電池付鋼板屋根構造に関する。
【背景技術】
【０００２】
従来より、太陽光を利用して発電するため、屋根に太陽電池を配設することがなされている。
【０００３】
例えば、特許文献１には、太陽電池付屋根パネルおよび屋根構造が提案されている。
【０００４】
すなわち、図２１に示すように、鋼板製のパネル本体１０２と、その一側縁の内樋１０３と、パネル本体１０２の上面を蓋する太陽電池付鋼板とで構成されてなる太陽電池付屋根パネル１０１および屋根構造１００が提案されている。
【０００５】
しかしながら、特許文献１の提案に係る太陽電池付屋根パネル１０１および屋根構造１００は、構成が複雑であるため、施工性が悪いという問題がある。
【０００６】
また、重量が重いため既設の鋼板屋根には適用が難しいという問題もある。
【先行技術文献】
【特許文献】
【０００７】
【特許文献１】特開平１１−１０７４３３号公報
【発明の概要】
【発明が解決しようとする課題】
【０００８】
本発明はかかる従来技術の課題に鑑みなされたものであって、構成が簡素化および軽量化されて施工性が向上するとともに、既設の鋼板屋根への適用も容易な太陽電池付鋼板屋根構造を提供することを目的としている。
【課題を解決するための手段】
【０００９】
本発明の太陽電池付鋼板屋根構造は、屋根鋼鈑と、太陽電池シートと、前記太陽電池シートの短手方向端部を補強する補強部材とを備え、前記補強部材が、太陽電池シートの端部が差し込まれる偏平溝状部を有してなることを特徴とする。
【００１０】
本発明の太陽電池付鋼板屋根構造の第１形態は、太陽電池シートの長手方向端部を保持する保持部材を備え、前記保持部材が、太陽電池シートの端部が差し込まれる偏平溝状部と、前記偏平溝状部の上片端から起立形成された補強部とを含むものとされてなることを特徴とする。
【００１１】
本発明の太陽電池付鋼板屋根構造の第２形態は、太陽電池シートを屋根鋼鈑に取り付ける取付部材を長手方向端部に有してなることを特徴とする。
【００１２】
本発明の太陽電池付鋼板屋根構造においては、屋根の下地材の上に断熱シートや防水シートが配設されてなるのが好ましい。
【００１３】
本発明の太陽電池付鋼板屋根構造においては、太陽電池シートが配設される下地板材を屋根鋼鈑の上に備え、前記屋根鋼鈑と前記下地板材との間に断熱シートが配設されてもよい。
【００１４】
本発明の太陽電池付鋼板屋根構造の第１形態においては、太陽電池シートが屋根鋼鈑または下地板材に接着剤により接着されてなるのが好ましく、下地板材に接着テープまたは粘着テープにより固定されてなるのがさらに好ましい。
【００１５】
本発明の太陽電池付鋼板屋根構造の第１形態においては、鋼板屋根が瓦棒葺き屋根とされ、保持部材の偏平溝状部が、通し吊子を跨ぐようにして配設された押さえ部材の鍔部により押さえられるようにされてもよい。その場合、押さえ部材が化粧キャップにより覆われてなるのが好ましい。
【００１６】
本発明の太陽電池付鋼板屋根構造の第２形態においては、屋根鋼鈑がフラットフリータイプとされ、取付部材の差込部が、屋根鋼鈑の傾斜端部とキャップとの隙間に挟みこまれて太陽電池シートの屋根への固定がなされるようにされてもよい。
【発明の効果】
【００１７】
本発明は前記の如く構成されているので、鋼板屋根を簡易に太陽電池付屋根、つまり発電屋根とすることができるという優れた効果が得られる。
【図面の簡単な説明】
【００１８】
【図１】本発明の実施形態１に係る太陽電池付鋼板屋根構造の正面図である。
【図２】同平面図である。
【図３】同側面図である。
【図４】保持部材の二面図である。
【図５】押さえ部材の二面図である。
【図６】本発明の実施形態１に係る屋根構造の施工手順の説明図である。
【図７】本発明の実施形態２に係る太陽電池付鋼板屋根構造の正面図である。
【図８】同平面図である。
【図９】同側面図である。
【図１０】保持部材の二面図である。
【図１１】本発明の実施形態２に係る屋根構造の施工手順の説明図である。
【図１２】本発明の実施形態３に係る屋根構造の要部概略図である。
【図１３】本発明の実施形態４に係る屋根構造の要部概略図である。
【図１４】本発明の実施形態５に係る屋根構造の要部概略図である。
【図１５】本発明の実施形態６に係る屋根構造の要部概略図である。
【図１６】本発明の実施形態７に係る屋根構造の要部概略図である。
【図１７】本発明の実施形態８に係る屋根構造の要部概略図である。
【図１８】取付部材の二面図である。
【図１９】補強部の変形例の正面図である。
【図２０】実施形態３の変形例の要部概略図である。
【図２１】特許文献１の提案に係る屋根構造の平面図である。
【発明を実施するための形態】
【００１９】
以下、添付図面を参照しながら本発明を実施形態に基づいて説明するが、本発明はかかる実施形態のみに限定されるものではない。
【００２０】
実施形態１
本発明の実施形態１に係る太陽電池付鋼板屋根構造（以下、単に屋根構造という）Ｋ１を図１〜３に三面図で示す。なお、実施形態１において、屋根は瓦棒葺き屋根とされている。
【００２１】
屋根構造Ｋ１は、溝板（屋根鋼鈑）Ｐの上に配設された太陽電池シート１と、太陽電池シートの長手方向の端部を保持する保持部材２と、保持部材２を押さえる押さえ部材３と、太陽電池シート１を溝板Ｐに接着する接着剤４とを主要構成要素として備えてなるものとされる。なお、図中、符号５は仮留め用両面テープを示し、符号Ｕは下地材を示す。
【００２２】
太陽電池シート１は、例えばフィルム型アモルファス太陽電池とされる。これにより、太陽電池の軽量化が図られる。
【００２３】
保持部材２は、図４に示すように、鋼板を折り曲げ成形してなるものであって、太陽電池シート１の端部が差し込まれる偏平Ｕ字状部（偏平溝状部）２ａと、偏平Ｕ字状部２ａの上片端から起立形成された補強部２ｂとを含むものとされる。
【００２４】
偏平Ｕ字状部２ａには、押さえ部材３を保持部材２に係止するためのボルト孔２ｃが所定ピッチにて設けられている。この場合、太陽電池シート１の長手方向の端部に押さえ部材３が配設されるようボルト孔２ｃの位置が調整される。また、そのボルト孔２ｃの中間には、太陽電池シート１端部を保持部材２に係止するためのボルト孔２ｄが設けられている。そして、これらのボルト孔２ｃ，２ｄに対応させて、太陽電池シート１端部には透孔１ａが設けられている。
【００２５】
なお、太陽電池シート１の短手方向の端部も偏平Ｕ字状とされた補強部材２Ａにより補強されている（図６（ａ）参照）。
【００２６】
押さえ部材３は、図５に示すように、帯状鋼板をハット状に折り曲げ成形してなるものであって、通し吊子Ｔを跨ぐよう頂部３ａの幅ａおよび起立部３ｂの高さｈが調整され、また鍔部３ｃも保持部材２の偏平Ｕ字状部２ａを押さえることができるとともに、補強部２ｂと干渉しないよう幅ｂが調整されている。
【００２７】
また、鍔部３ｃにはボルト孔２ｃに対応させたボルト孔３ｄが設けられ、起立部３ｂにはキャップＣ下端と係止する係止ネジ用のネジ孔３ｅが設けられている。
【００２８】
次に、かかる構成とされた屋根構造Ｋ１の施工の一例について説明する。
【００２９】
手順１：太陽電池シート１の長手方向端部を保持部材２により保持させるとともに、短手方向端部を補強部材２Ａにより補強する（図６（ａ）参照）。この際、押さえ部材３用のボルト孔２ｃにもボルト・ナットを仮留めしておく。なお、この手順１は工場における出荷時になされてもよい。
【００３０】
手順２：太陽電池シート１の裏面（溝板Ｐと面する面）に仮留め用両面テープ５を貼付する。例えば、図（図６（ｂ））に示すように、両面テープ５を二本貼付する。なお、この手順２は工場における出荷時になされてもよい。
【００３１】
手順３：太陽電池シート１の裏面に接着剤４を塗布する。例えば、図６（ｃ）に示すように、中央および両端部に接着剤４を塗布する。
【００３２】
手順４：太陽電池シート１を溝板Ｐの上に配設して両面テープ５で固定する。これにより、接着剤４の接着効果が現れるまでにおける太陽電池シート１のずれ防止が図られる。
【００３３】
手順５：仮留めされている押さえ部材３用のボルト・ナットのナットを外した後、押さえ部材３を通し吊子Ｔを跨ぐようにして配設し、ついで鍔部３ｃをボルト・ナット留めする。
【００３４】
手順６：押さえ部材３の起立部３ｂのキャップＣ下端に対応する位置に係止ネジを捩じ込む。つまり、係止ネジの先端部がキャップＣ下端と係止するように係止ネジをネジ孔３ｅに捩じ込む。
【００３５】
これらの手順を繰り返して屋根全面、あるいは屋根の所定範囲に太陽電池シート１を配設する。
【００３６】
このように、この実施形態１によれば、太陽電池シート１を瓦棒の溝板Ｐ上に配設し、その長手方向の端部を押さえ部材３により押さえるという簡単な作業により瓦棒葺き屋根を太陽電池付屋根、つまり発電屋根とすることができる。
【００３７】
また、太陽電池シート１を溝板Ｐに配設し、その長手方向端部を押さえ部材３により押さえるという簡単な作業により屋根を太陽電池付屋根、つまり発電屋根とすることができるので、既設の瓦棒葺き屋根への適用も容易である。この既設屋根への適用においては、太陽電池シート１が軽量化されているので、既設屋根への重量増加も軽微なものとなる。このことは、既設屋根を太陽電池付屋根とする際の大きな動機づけとなる。
【００３８】
実施形態２
本発明の実施形態２に係る太陽電池付鋼板屋根構造（以下、単に屋根構造という）Ｋ２を図７〜９に三面図で示す。なお、実施形態２において、屋根は折半屋根Ｒとされている。
【００３９】
屋根構造Ｋ２は、図７〜９に示すように、太陽電池シート１と、太陽電池シート１の長手方向の端部を保持する保持部材６と、太陽電池シート１が配設される下地板材７と、下地板材７裏面に配設される断熱シート８とを主要構成要素として備えてなるものとされる。なお、断熱シート８は、必要に応じて設けられるものとされる。
【００４０】
太陽電池シート１は、実施形態１と同様とされているので、以下、実施形態１と異なる点を中心に説明する。
【００４１】
保持部材６は、図１０に示すように、鋼板を折り曲げ成形してなるものであって、太陽電池シート１の端部が差し込まれる偏平Ｕ字状部６ａと、偏平Ｕ字状部６ａの上片端から起立形成された補強部６ｂとを含むものとされる。
【００４２】
偏平Ｕ字状部６ａには、保持部材６を折半屋根Ｒの屋根鋼鈑の一部をなしているタイトフレーム（図示省略）にビス留めするためのビス孔６ｃが所定ピッチにて設けられている。この場合、太陽電池シート１の長手方向の端部にビスが配設されるようビス孔６ｃの位置が調整される。また、そのビス孔６ｃの中間には、太陽電池シート１端部を保持部材６に係止するためのボルト孔６ｄが設けられている。そして、これらのビス孔６ｃおよびボルト孔６ｄに対応させて、太陽電池シート１端部には透孔１ｂ，１ｃが設けられている。
【００４３】
下地板材７は、例えば角波鋼板とされる。下地板材７には、必要に応じて下地板材７を折半屋根Ｒにビス留めするためのビス孔および保持部材６を折半屋根Ｒにビス留めするためのビス孔が設けられている。なお、下地板材７の溝部には図示はされていないが、適宜水抜き孔が設けられている。
【００４４】
断熱シート８は、例えばＨＭシート（ＭＩＭＯマテリアル株式会社  商品名）とされる。
【００４５】
次に、かかる構成とされた屋根構造Ｋ２の施工の一例について説明する。
【００４６】
手順１１：太陽電池シート１の長手方向端部を保持部材６により保持させるとともに、短手方向端部を補強部材６Ａにより補強する（図１１（ａ）参照）。なお、この手順は工場における出荷時になされてもよい。
【００４７】
手順１２：太陽電池シート１の裏面（下地板材７と面する面）に仮留め用両面テープ５を貼付する。例えば、図１１（ｂ）に示すように、両面テープ５を二本貼付する。なお、この手順は工場における出荷時になされてもよい。
【００４８】
手順１３：断熱シート８を折半屋根Ｒに配設する。この場合、断熱シート８を折半屋根Ｒに両面テープや接着剤で固定するのが好ましい。
【００４９】
手順１４：断熱シート８の上に下地板材７を配設し、折半屋根Ｒのタイトフレームにビス留めする。
【００５０】
手順１５：太陽電池シート１の裏面に接着剤４を塗布する。例えば、図１１（ｃ）に示すように、太陽電池シート１の両端部に二条塗布する。
【００５１】
手順１６：太陽電池シート１を下地板材７に配設し、折半屋根Ｒのタイトフレームにビス留めする。
【００５２】
これらの手順を繰り返して折半屋根Ｒの全面、あるいは折半屋根Ｒの所定範囲に太陽電池シート１を配設する。
【００５３】
このように、実施形態２によれば、折半屋根Ｒを手軽に太陽電池付鋼板屋根、つまり発電屋根とすることができる。
【００５４】
実施形態３
本発明の実施形態３に係る太陽電池付鋼板屋根構造（以下、単に屋根構造という）Ｋ３の要部を図１２に示す。
【００５５】
実施形態３は実施形態１を改変してなるものとされているので、以下、実施形態１と異なる点を中心に説明する。
【００５６】
屋根構造Ｋ３は、図１２に示すように、下地材Ｕの上に断熱シート９を配設するとともに、太陽電池シート１を接着剤１０および粘着テープ１１により溝板Ｐに固定してなるものとされる。つまり、屋根を発電断熱屋根としてなるものとされる。
【００５７】
断熱シート９は、実施形態２の断熱シート８と同様とされている。
【００５８】
接着剤１０は、太陽電池シート１の長手方向端部に位置するように塗布され、粘着テープ１１は太陽電池シート１の長手方向の中央部に位置するように貼付される。粘着テープ１１の本数は例えば２本とされる。
【００５９】
次に、かかる構成とされた屋根構造Ｋ３の施工の一例について実施形態１と異なる部分を中心に説明する。
【００６０】
手順２１：下地材Ｕの上に断熱シート９を配設する。
【００６１】
手順２２：溝板Ｐを配設する。
【００６２】
手順２３：粘着テープ１１を太陽電池シート１の長手方向の中央部に位置するように溝板Ｐの上に貼付する。なお、粘着テープ１１は太陽電池シート１の裏面に貼付してもよい。
【００６３】
手順２４：接着剤１０を太陽電池シート１の長手方向端部に位置するように溝板Ｐの上に塗布する。なお、接着剤１０は太陽電池シート１の裏面に塗布してもよい。
【００６４】
手順２５：溝板Ｐの上に太陽電池シート１を載置する。
【００６５】
手順２６：押さえ部材３により太陽電池シート１の長手方向端部を押さえる。
【００６６】
これらの手順を繰り返して屋根全面、あるいは屋根の所定範囲に太陽電池シート１を配設する。
【００６７】
このように、実施形態３によれば、下地材Ｕの上に断熱シート９を配設しているので、室内の断熱が図られるという実施形態１では得られない効果も得られる。つまり、室温の上昇が低減され、クールな室内とすることができるという実施形態１では得られない効果も得られる。
【００６８】
実施形態４
本発明の実施形態４に係る太陽電池付鋼板屋根構造（以下、単に屋根構造という）Ｋ４の要部を図１３に示す。屋根構造Ｋ４は、図１３に示すように、瓦棒葺き屋根から嵌合立平葺き屋根とされている。
【００６９】
実施形態４は実施形態３を改変してなるものとされているので、以下、実施形態３と異なる点を中心に説明する。
【００７０】
屋根構造Ｋ４は、図１３に示すように、太陽電池シート１の保持部材６を溝板（屋根鋼鈑）Ｐの嵌合部Ｊの内側水平部Ｐｆに載置するようにして溝板Ｐにセットし、溝板本体Ｐｍの端部と保持部材６とを接着剤１０で接着し、溝板本体Ｐｍと太陽電池シート１とを粘着テープ１１で接着し、それにより太陽電池シート１を溝板Ｐに固定してなるものとされる。
【００７１】
太陽電池シート１を保持部材６に保持させるボルトは、図示はされていないが、頭部が溝板本体Ｐｍ側に位置するようその位置が調整されている。
【００７２】
次に、かかる構成とされた屋根構造Ｋ４の施工の一例について実施形態１と異なる部分を中心に説明する。
【００７３】
手順３１：粘着テープ１１を溝板Ｐの溝板本体Ｐｍの所定間隔を設けて２本貼付する。なお、粘着テープ１１は太陽電池シート１の裏面に貼付してもよい。
【００７４】
手順３２：溝板Ｐの溝板本体Ｐｍと内側水平部Ｐｆとの段差近傍に接着剤１０を塗布する。なお、接着剤１０は太陽電池シート１の裏面に塗布してもよい。
【００７５】
手順３３：太陽電池シート１の保持部材６を溝板Ｐの内側水平部Ｐｆに載置するようにして太陽電池シート１を溝板Ｐにセットする。
これらの手順を繰り返して屋根全面、あるいは屋根の所定範囲に太陽電池シート１を配設する。
【００７６】
このように、実施形態４によれば、保持部材６に保持された太陽電池シート１を溝板Ｐの内側水平部Ｐｆに載置するという簡単な作業により嵌合立平葺き屋根を発電屋根とすることができる。
【００７７】
実施形態５
本発明の実施形態５に係る太陽電池付鋼板屋根構造（以下、単に屋根構造という）Ｋ５の要部を図１４に示す。
【００７８】
実施形態５は実施形態４を改変してなるものであって、屋根を防水屋根としてなるものとされる。以下、実施形態４と異なる点を中心に説明する。
【００７９】
屋根構造Ｋ５は、図１４に示すように、下地材Ｕと溝板Ｐとの間に防水シート１２を配設してなるものとされる。つまり、ハウテック防水工法による防水屋根とされる。
【００８０】
このように、実施形態５によれば、発電屋根の防水性を高めることができるという実施形態４では得られない効果も得られる。
【００８１】
実施形態６
本発明の実施形態６に係る太陽電池付鋼板屋根構造（以下、単に屋根構造という）Ｋ６の要部を図１５に示す。
【００８２】
実施形態６は実施形態４を改変してなるものであって、屋根を断熱屋根としてなるものとされる。以下、実施形態４と異なる点を中心に説明する。
【００８３】
屋根構造Ｋ６は、図１５に示すように、下地材Ｕと溝板Ｐとの間に断熱シート９を配設してなるものとされる。
【００８４】
このように、実施形態６によれば、下地材Ｕの上に断熱シート９を配設しているので、室内の断熱が図られる。つまり、室温の上昇が低減され、クールな室内とすることができる。
【００８５】
実施形態７
本発明の実施形態７に係る太陽電池付鋼板屋根構造（以下、単に屋根構造という）Ｋ７の要部を図１６に示す。
【００８６】
実施形態７は実施形態２を改変してなるものであって、太陽電池シート１を下地板材７に接着剤１０および粘着テープ１１により固定してなるものとされる。
【００８７】
このように、実施形態７によれば、実施形態２に比して太陽電池シート１を強固に下地板材７に固定することができるという実施形態２では得られない効果も得られる。
【００８８】
実施形態８
本発明の実施形態８に係る太陽電池付鋼板屋根構造（以下、単に屋根構造という）Ｋ８の要部を図１７に示す。実施形態８は屋根をいわゆるフラットフリータイプ屋根としてなるものとされる。
【００８９】
屋根構造Ｋ８は、図１７に示すように、下地材Ｕの上に断熱シート９が配設され、その上にフラットフリータイプ屋根ＦＲが形成され、その屋根鋼板ＦＰの上に太陽電池シート１が載置されてなるものとされる。なお、屋根鋼板ＦＰと断熱シート９との間には屋根鋼板ＦＰのへこみを防止するためへこみ防止板ＳＰ、例えば発泡スチレン板が配設されている。
【００９０】
太陽電池シート１は、長手方向の端部に取付部材１３が装着されてなるものとされる。
【００９１】
取付部材１３は、図１８に示すように、屋根鋼板ＦＰの傾斜端部Ｐｋとその傾斜端部Ｐｋを押さえる蓋部材Ｐｃとの隙間に差し込まれる傾斜面とされた差込部１３ａと、差込部１３ａの上端から水平面とされ太陽電池シート１の長手方向端部と係合する係合部１３ｂと、係合部１３ｂの他端から起立形成された補強部１３ｃとを有するものとされる。
【００９２】
係合部１３ｂには、太陽電池シート１の長手方向端部を取付部材１３にボルト・ナット留めするためのボルト孔１３ｄが適宜ピッチで設けられている。これに対応させて、太陽電池シート１の長手方向端部には、透孔１ａが設けられている。
【００９３】
次に、かかる構成とされた屋根構造Ｋ８の施工の一例について説明する。
【００９４】
手順４１：下地材Ｕの上に断熱シート９を配設する。
【００９５】
手順４２：屋根鋼板ＦＰの傾斜端部Ｐｋを仕舞い込む仕舞部材Ｐｄを所定間隔で配設する。なお、仕舞部材Ｐｄは谷樋を含む公知のものとされる。
【００９６】
手順４３：へこみ防止板ＳＰを配設する。
【００９７】
手順４４：屋根鋼板ＦＰをセットし、傾斜端部Ｐｋを仕舞部材Ｐｄにより仕舞い込む。
【００９８】
手順４５：取付部材１３がセットされた太陽電池シート１を取付部材１３の差込部１３ａを傾斜端部Ｐｋに沿わせて屋根鋼板ＦＰに載置する。
【００９９】
手順４６：蓋部材Ｐｃにより仕舞部材Ｐｄを蓋することにより差込部１３ａを蓋部材Ｐｋの傾斜部と屋根鋼板ＦＰの傾斜端部Ｐｋとで挟み込む。これにより、太陽電池シート１の屋根ＦＲへの固定がなされる。
【０１００】
これらの手順を繰り返して屋根ＦＲ全面、あるいは屋根ＦＲの所定範囲に太陽電池シート１を配設する。
【０１０１】
このように、実施形態８によれば、フラットフリータイプ屋根ＦＲを手軽に発電屋根とすることができる。
【０１０２】
また、に下地材Ｕの上に断熱シート９を配設しているので、室内の断熱が図られる。つまり、室温の上昇が低減され、クールな室内とすることができる。
【０１０３】
以上、本発明を実施形態に基づいて説明してきたが、本発明はかかる実施形態のみに限定されるものではなく種々改変が可能である。
【０１０４】
例えば、保持部材や取付部材の補強部を図１９に示すような構成とすることもできる。すなわち、上半分を手前側に折り返して補強部を二重構造とすることもできる。こうすることにより、補強部の上端は円弧面に形成されるので、太陽電池シート１の設置作業の安全性が向上する。
【０１０５】
また、図２０に示すように、実施形態１における押さえ部材３を覆い隠す化粧キャップ付とすることもできる。
【０１０６】
すなわち、図２０に示すように、押さえ部材３の外側に化粧キャップ取付部材２１を設け、それに化粧キャップ２２を係合させるようにされてもよい。そうすることにより、発電屋根の意匠効果が向上する。
また、実施形態では縦葺き屋根を例に取り説明されているが、横葺き屋根とされてもよい。
【０１０７】
また、実施形態では屋根は平板とされているが、体育館の屋根のように円弧状の屋根にも適用が可能である。
【産業上の利用可能性】
【０１０８】
本発明は太陽電池パネルを取り付ける鋼板屋根に適用できる。
【符号の説明】
【０１０９】
１      太陽電池シート
２      保持部材
３      押さえ部材
４      接着剤
５      両面テープ
６      保持部材
７      下地板材
８，９  断熱シート
１０      接着剤
１１      粘着テープ
１２      防水シート
１３      取付部材
２２      化粧キャップ
Ｋ      屋根構造
Ｐ      溝板
ＦＰ      屋根鋼板
Ｊ      嵌合部
Ｃ      キャップ
Ｒ      折半屋根
ＦＲ      フラットフリータイプ屋根
Ｕ      下地材
【図１】
2013032668.tif 000003
【図２】
2013032668.tif 000004
【図３】
2013032668.tif 000005
【図４】
2013032668.tif 000006
【図５】
2013032668.tif 000007
【図６】
2013032668.tif 000008
【図７】
2013032668.tif 000009
【図８】
2013032668.tif 000010
【図９】
2013032668.tif 000011
【図１０】
2013032668.tif 000012
【図１１】
2013032668.tif 000013
【図１２】
2013032668.tif 000014
【図１３】
2013032668.tif 000015
【図１４】
2013032668.tif 000016
【図１５】
2013032668.tif 000017
【図１６】
2013032668.tif 000018
【図１７】
2013032668.tif 000019
【図１８】
2013032668.tif 000020
【図１９】
2013032668.tif 000021
【図２０】
2013032668.tif 000022
【図２１】
2013032668.tif 000023
【手続補正書】
【提出日】平成23年8月20日(2011.8.20)
【手続補正１】
【補正対象書類名】明細書
【補正対象項目名】００３８
【補正方法】変更
【補正の内容】
【００３８】
実施形態２
本発明の実施形態２に係る太陽電池付鋼板屋根構造（以下、単に屋根構造という）Ｋ２を図７〜９に三面図で示す。なお、実施形態２において、屋根は折半屋根（折板屋根）Ｒとされている。
【手続補正２】
【補正対象書類名】明細書
【補正対象項目名】００４３
【補正方法】変更
【補正の内容】
【００４３】
下地板材７は、例えば角波鋼板とされる。下地板材７には、必要に応じて下地板材７を折半屋根（折板屋根）Ｒにビス留めするためのビス孔および保持部材６を折半屋根（折板屋根）Ｒにビス留めするためのビス孔が設けられている。なお、下地板材７の溝部には図示はされていないが、適宜水抜き孔が設けられている。
【手続補正３】
【補正対象書類名】明細書
【補正対象項目名】００４８
【補正方法】変更
【補正の内容】
【００４８】
手順１３：断熱シート８を折半屋根Ｒに配設する。この場合、断熱シート８を折半屋根（折板屋根）Ｒに両面テープや接着剤で固定するのが好ましい。
【手続補正４】
【補正対象書類名】明細書
【補正対象項目名】００４９
【補正方法】変更
【補正の内容】
【００４９】
手順１４：断熱シート８の上に下地板材７を配設し、折半屋根（折板屋根）Ｒのタイトフレームにビス留めする。
【手続補正５】
【補正対象書類名】明細書
【補正対象項目名】００５２
【補正方法】変更
【補正の内容】
【００５２】
これらの手順を繰り返して折半屋根（折板屋根）Ｒの全面、あるいは折半屋根（折板屋根）Ｒの所定範囲に太陽電池シート１を配設する。
【手続補正６】
【補正対象書類名】明細書
【補正対象項目名】００５３
【補正方法】変更
【補正の内容】
【００５３】
このように、実施形態２によれば、折半屋根（折板屋根）Ｒを手軽に太陽電池付鋼板屋根、つまり発電屋根とすることができる。
【手続補正７】
【補正対象書類名】明細書
【補正対象項目名】０１０９
【補正方法】変更
【補正の内容】
【０１０９】
１      太陽電池シート
２      保持部材
３      押さえ部材
４      接着剤
５      両面テープ
６      保持部材
７      下地板材
８，９  断熱シート
１０      接着剤
１１      粘着テープ
１２      防水シート
１３      取付部材
２２      化粧キャップ
Ｋ      屋根構造
Ｐ      溝板
ＦＰ      屋根鋼板
Ｊ      嵌合部
Ｃ      キャップ
Ｒ      折半屋根（折板屋根）
ＦＲ      フラットフリータイプ屋根
Ｕ      下地材